(57)【要約】【課題】  電波時計とソーラーセル時計との両方の機能をもって、ソーラーセルの濃紫色が視認されず、しかも、金属感を持つ携帯時計を提供する。【解決手段】      風防ガラス５１と文字板５５との間で、文字板５５の外周縁部に透光性の見返しリング５３と、該見返しリング５３の外周にリング状のソーラーセル５２とを備え、該ソーラーセル５２の前面側にある見返しリング５３の下面に反射機能を有するアンテナ６０を備える。あるいはまた、ソーラーセル５２の背面側で、時計ケース５７とソーラーセル５２との間にアンテナを備える。あるいはまた、その両方にアンテナを備える。【選択図】        図１
2005274247.tif 000002
【特許請求の範囲】
【請求項１】
風防ガラスと文字板との間で、前記文字板の外周縁部に透光性の見返しリングと、該見返しリングの外周にリング状に配設したソーラーセルとを備え、該ソーラーセルの前面側又は背面側の少なくとも一方側にアンテナを備えたことを特徴とする携帯時計。
【請求項２】
前記アンテナは、前記ソーラーセルの前面側又は背面側の少なくとも一方側にあって、前記見返しリングに入射した光の一部を反射し、該反射した光の一部が前記ソーラーセルの受光面に入射する部位に備えたことを特徴とする請求項１に記載の携帯時計。
【請求項３】
前記アンテナは、前記ソーラーセルの前面側にある前記見返しリングの下面側に備えたことを特徴とする請求項１又は２に記載の携帯時計。
【請求項４】
前記アンテナは、前記ソーラーセルの背面側で時計ケースとの間に備えたことを特徴とする請求項１又は２に記載の携帯時計。
【請求項５】
前記アンテナは、前記ソーラーセルの前面側にある前記見返しリングの下面側と、前記ソーラーセルの背面側で時計ケースとの間にそれぞれ備えたことを特徴とする請求項１又は２に記載の携帯時計。
【請求項６】
前記アンテナは、前記見返しリングの下面に、見返しリングと一体にして備えたことを特徴とする請求項１、２、３、５のいずれか１項に記載の携帯時計。
【請求項７】
前記アンテナは、前記見返しリングの下面側に位置する前記文字板の上面に、文字板と一体にして備えたことを特徴とする請求項１、２、３、５のいずれか１項に記載の携帯時計。
【請求項８】
前記アンテナは、少なくとも１個からなることを特徴とする請求項１乃至７のいずれか１つに記載の携帯時計。
【請求項９】
前記アンテナの少なくとも一部の表面が、反射率の高い反射表面をなしていることを特徴とする請求項１乃至８のいずれか１項に記載の携帯時計。
【請求項１０】
前記反射率の高い反射表面は、金属表面であることを特徴とする請求項９に記載の携帯時計。
【請求項１１】
前記透光性の見返しリングは、非導電性材料からなることを特徴とする請求項１乃至７のいずれか１項に記載の携帯時計。
【請求項１２】
前記非導電性材料は、樹脂であることを特徴とする請求項１１に記載の携帯時計。
【請求項１３】
前記見返しリングの採光表面は、透過性を有する金属薄膜が設けられていることを特徴とする請求項１乃至７、及び請求項１１、１２のいずれか１項に記載の携帯時計。
【請求項１４】
前記の金属薄膜は、膜厚が１５０Å〜５００Åであることを特徴とする請求項１３に記載の携帯時計。
【請求項１５】
前記時計ケースは、金属で形成されていることを特徴とする請求項４又は５に記載の携帯時計。
【請求項１６】
前記金属は、ステンレス鋼、チタン、チタン合金などであることを特徴とする請求項１５に記載の携帯時計。
【発明の詳細な説明】
【技術分野】
【０００１】
本発明は、電波受信・時刻修正機能とソーラーセル発電機能との両方の機能を有する携帯時計に関する。
【背景技術】
【０００２】
時刻情報を含む標準電波（搬送波）を受信し、この電波から時刻情報を取り出すことにより、正確な時刻に修正することのできる電波時計の機能と、ソーラーセルを備えて、太陽光などの光を受光して発電させ、その電気エネルギーを電池に蓄電して時刻を刻むことのできるソーラーセル時計の機能との両方の機能を有した携帯時計がソーラー電波時計と称して既に知られている。時刻情報を含む電波は、各国毎に周波数が異なり、例えば、日本では総務省、郵政事業庁の管轄下において、４０ｋＨｚ及び６０ｋＨｚの標準電波が発信されている。
【０００３】
図１０は、このような電波時計の機能の概略を示すブロック図である。この電波時計は、アンテナ１、電波時計受信機２、ＣＰＵ３、表示駆動部４、入力装置５等から構成されている。その他、図示していないが時分秒の各指針又は液晶等による表示部が含まれている。
【０００４】
この電波時計においては、はじめにアンテナ１で時刻情報を含む電波を受信する。電波時計受信機２は、アンテナ１が受信した電波を増幅検波し、電波から時刻情報を取り出して出力する。ＣＰＵ３は、電波時計受信機２から出力された時刻情報に基づき、現在時刻データを出力する。表示駆動部４は、ＣＰＵ３から出力された現在時刻データに基づき、表示部に現在時刻を表示させる。尚、入力装置５は、例えば、ＣＰＵ３に対してリセット等の操作情報を入力する際に使用される。
【０００５】
電波に含まれている時刻情報（タイムコード）は、６０秒周期のパルス信号であり、国によって異なるが、日本の場合は１秒ごとに、２００、５００、８００msecのいずれかの幅を有するパルスが１つ乗っている。これらパルスの組み合わせにより、６０秒で時刻情報が得られる。ＣＰＵ３は、受け取ったパルス信号から１秒ごとのパルスのパルス幅を読み取っていくことにより、時刻情報（現在時刻）を取得する。そして、ＣＰＵは、取得した時刻情報により、表示駆動部４を介して表示部における表示時刻を修正する。よって、電波時計は、受信した時刻情報に基づき、表示時刻が所定間隔毎に修正されることにより、常に正確な時刻を表示できる。
【０００６】
このような電波時計として、アンテナ、電波時計受信機、ＣＰＵ、表示駆動部および表示部を、アンテナ収納体であるケースの中に収納した腕時計が、すでに提供されている。このケースの素材には、アンテナが電波を受信するために合成樹脂やセラミックなどの非導電性材料が主として用いられてきた。即ち、金属などの導電材料からなるケース内部にアンテナを収納すると、アンテナ近傍に発生する磁束が導電材料に吸い取られ、共振現象が妨げられるため、アンテナの受信機能が著しく低下してしまうからである。
【０００７】
しかしながら、このようなアンテナの受信障害を避けるため、合成樹脂製のケースを用いると、ケースの耐傷性、あるいは耐薬品性の低下をまねくばかりか、装身具としての腕時計に必要とされる高級感や美観も損なわれることになる。このため、ケースに金属を用いた電波腕時計が提案されている。その一つに、下記の特許文献１をあげることができる。
【０００８】
【特許文献１】特開２００１−３３５７１号公報
【０００９】
図１１は、ケースの一部に金属を用いた電波腕時計の構造の一例を示す断面図である。この腕時計のケース１０は、胴１１と裏蓋１２と風防１３とから概略構成されている。バンド（図示せず）が連結される胴内部に、ムーブメント１４が公知の手段で配置されている。ムーブメント１４の上方には、時刻表示部である文字板１５と針１６が、同じく公知の手段で配置されている。そして、ムーブメント１４の下方で、かつ裏蓋１２の上方に位置するように、磁気長波アンテナであるバーアンテナ１７が配置されている。このバーアンテナ１７は、磁芯部材１８と、この磁芯部材１８に巻回されたコイル２０とよりなり、合成樹脂製の保持部材の上面に固定されている。
【００１０】
ムーブメント１４は、前述した電波時計受信機、ＣＰＵ、および表示駆動部を備え、導線２１によってバーアンテナ１７と電気的に導通される。従って、バーアンテナ１７が受信した標準電波に基づいて、ムーブメント１４のＣＰＵが、表示駆動部における、図示しないギア機構を動作させて、表示部の針１６の位置を常に修正するように駆動する。なお、ここで、上下方向とは、図１１における上下を示している。
【００１１】
胴１１は、上記の特許文献１においては、金属で中空でない、即ち、ソリッド金属で鉄鋼材料またはチタニウム若しくはその合金製の金属が好ましいとされている。胴１１の最上部には、非導電材料であるガラスからなる風防１３が、シーリング材などを用いて公知の手段で固定される。また、上記の特許文献１においては、裏蓋１２は、胴１１に固定された環状の電気導電性を有する金属の縁枠２２と、縁枠２２内に固定されたガラスやセラミックなどからなる非導電材料２３とから構成することができるとされている。即ち、特許文献１においては、時計の裏蓋側、即ち、裏面側を、ガラスやセラミックなどからなる非導電材料で構成すれば、時計の側面側は金属などで構成することができるとされている。そして、これによりデザインの自由度を向上させることができるとされている。
【００１２】
一方、ソーラーセルを備えて発電機能を持たせたソーラーセル付時計の従来の一般的な構造は、多くの発電効率を得るために文字板の裏面にソーラーセルを配置していた。しかしながら、ソーラーセルを文字板の裏面に配設する構造は、文字板は太陽光を透過させるために少なくとも半透過性であることが必要であり、材料が限定されると同時に、文字板を通してソーラーセル独特の濃紫色や分割線などの色調が視認され、外観品質を損なうという問題があった。また、文字板の下に日板、曜板を配設するカレンダー時計においては、文字板と日板、曜板の間にソーラーセルを配設するために、曜、日の視認性も極めて悪く、発電効率への影響を考慮すると日窓、曜窓の位置に自由度がないものとなっていた。
【００１３】
そして、このような問題を解決する構造として、風防ガラスと文字板との間の隙間に、文字板の外周周縁に位置する見返しリングの外周部に直立したリング状のソーラーセルを配設した構造のものが下記の特許文献２に開示を見ている。
【００１４】
【特許文献２】特開２００１−３０５２４９号公報
【００１５】
上記の特許文献２に開示されたソーラーセル付時計を図１２、図１３を用いて簡単に説明する。尚、特許文献２においては、ソーラーセルを太陽電池と呼称して説明しているが、ここではソーラーセルと呼称して説明する。ここで、図１２は上記の特許文献２に示されたソーラーセル付時計の要部断面図で、図１３は図１２におけるＡ部の拡大断面図を示している。図１２において、このソーラーセル付時計３０は、時計ケース３７内に文字板３５、ムーブメント３６、ムーブメント３６の指針軸に取り付けた指針３４を収納し、
表面からは風防ガラス３１、裏面からは裏蓋３８で封止した構成を取っており、また、風防ガラス３１と文字板３５の間にあって、文字板３５の外周縁部に見返しリング３３を配設し、その見返しリング３３の外周部に直立したリング状のソーラーセル３２を配設した構成を取っているものである。
【００１６】
また、このリング状のソーラーセル３２はその受光面が時計中心側に向かって配設されていて、このリング状のソーラーセル３２は、図１３に示すように、フレキシブルプリント基板４０上にアルミニウム薄膜等からなる金属電極膜である第１の電極４１、アモルファスシリコン薄膜からなる光電変換層４２、ＩＴＯなどの透明導電膜である第２の電極４３、透明な保護膜４４を積層した構成になっている。
【００１７】
風防ガラス３１を透過して見返しリング３３を介して直接入射する光、文字板３５の表面で反射を繰り返した光が見返しリング３３を介して入射する光などをソーラーセル３２に導き、そこで得た光を光電変換し電流としてムーブメント内に配した二次電池に供給するようになっている。
【発明の開示】
【発明が解決しようとする課題】
【００１８】
しかしながら、特許文献１に示されている電波時計の構造は、携帯使用する上での電波受信性能について大きな問題はないが、図１１に示されるように、裏蓋１２の縁枠２２にガラスからなる非導電性材料２３を係合した場合に、腕時計を落とす等の衝撃を与えるとガラスが破損するという問題がある。また、裏蓋１２は、腕に密接しているので、長期の使用において、汗等によりガラスが縁枠２２から外れたり、腕時計内部のムーブメント（アンテナ１、電波時計受信機２、ＣＰＵ３、表示駆動部４等）に汗、水、ホコリ等が入り込み、腕時計としての機能を著しく低下させる恐れもある。
【００１９】
更に、裏蓋１２に非導電性材料２３が設けられているので、部品点数が増えると共に組立工数も増え、コストアップをまねくという問題を有する。また、非金属部材が外装に使用されているため、腕時計としての重厚感や高級感にも欠けるものとなる。
【００２０】
また、特許文献２に示されているソーラーセル付時計の構造は、比較的外部から目立たない所にある見返しリングの外周部にソーラーセルを配設する構造で、これにより、文字板３５に金属などを用いることができるので色々な装飾を施して外観的な装飾を高めることができる。しかしながら、見返しリングは、材質が透光性材料で構成されるために、ソーラーセル本来の濃紫色の色調が透視され、外観品質がどうしても損なわれてしまう。また同時に、見返しリングに透光性を持たせる理由で金属が使用できず、金属色の持つ重厚さや、高級感の表現が極めて困難であった。また、入射効率を上げるため、見返しリングに切分などのデザインができなくなる等の問題があった。
【００２１】
本発明は、上記従来技術の課題に鑑みなされたもので、通常の金属時計ケースを使用しても、携帯上、何の支障もなく時刻情報等の電波を受信して時刻修正することができ、また、ソーラーセルで時刻表示を駆動させると共に、ソーラーセル独特の濃紫色などが視認されず、安定した防水品質の下で高級感が得られる携帯時計を提供する。また同時に、一般の時計と同様のデザインバリエーションの拡大を図ることが可能な携帯時計を提供することを目的とする。
【課題を解決するための手段】
【００２２】
上記の課題を解決するための手段として、本発明の請求項１に記載の携帯時計は、風防ガラスと文字板との間で、該文字板の外周縁部に透光性の見返しリングと、該見返しリングの外周にリング状に配設したソーラーセルとを備え、該ソーラーセルの前面側又は背面
側の少なくとも一方側にアンテナを備えたことを特徴とするものである。
【００２３】
また、本発明の請求項２に記載の携帯時計は、アンテナがソーラーセルの前面側又は背面側の少なくとも一方側にあって、見返しリングに入射した光の一部を反射し、該反射した光の一部がソーラーセルの受光面に入射する部位に備えたことを特徴とするものである。
【００２４】
また、本発明の請求項３に記載の携帯時計は、アンテナをソーラーセルの前面側にある見返しリングの下面側に備えたことを特徴とするものである。
【００２５】
また、本発明の請求項４に記載の携帯時計は、アンテナをソーラーセルの背面側で時計ケースとの間に備えたことを特徴とするものである。
【００２６】
また、本発明の請求項５に記載の携帯時計は、アンテナをソーラーセルの前面側にある見返しリングの下面側と、ソーラーセルの背面側で時計ケースとの間にそれぞれ備えたことを特徴とするものである。
【００２７】
また、本発明の請求項６に記載の携帯時計は、アンテナを見返しリングの下面に、見返しリングと一体にして備えたことを特徴とするものである。
【００２８】
また、本発明の請求項７に記載の携帯時計は、アンテナを見返しリングの下面側に位置する文字板の上面に、文字板と一体にして備えたことを特徴とするものである。
【００２９】
また、本発明の請求項８に記載の携帯時計は、アンテナが少なくとも１個からなることを特徴とするものである。
【００３０】
また、本発明の請求項９に記載の携帯時計は、アンテナの少なくとも一部の表面が、反射率の高い反射表面をなしていることを特徴とするものである。
【００３１】
また、本発明の請求項１０に記載の携帯時計は、上記の反射率の高い反射表面が金属表面であることを特徴とするものである。
【００３２】
また、本発明の請求項１１に記載の携帯時計は、透光性の見返しリングが非導電性材料からなることを特徴とするものである。
【００３３】
また、本発明の請求項１２に記載の携帯時計は、上記の非導電性材料が樹脂であることを特徴とするものである。
【００３４】
また、本発明の請求項１３に記載の携帯時計は、見返しリングの採光表面に透過性を有する金属薄膜が設けられていることを特徴とするものである。
【００３５】
また、本発明の請求項１４に記載の携帯時計は、上記の金属薄膜の膜厚が１５０Å〜５００Åであることを特徴とするものである。
【００３６】
また、本発明の請求項１５に記載の携帯時計は、時計ケースが金属で形成されていることを特徴とするものである。
【００３７】
また、本発明の請求項１６に記載の携帯時計は、上記の金属がステンレス鋼、チタン、チタン合金などであることを特徴とするものである。
【発明の効果】
【００３８】
本発明の効果として、本発明の請求項１及び請求項２に記載の発明において、リング状のソーラーセルを透光性の見返しリングの外周に備えていることにより、見返しリングに入射した光がソーラーセルの採光面に入射し、ソーラーセルに発電機能を起こさせる。また、見返しリングに入射した光の一部は見返しリングの下面側にある文字板に入射する。また、一部の光はソーラーセルの背面側にも回り込む。アンテナを、請求項９に記載の如く、高反射率の反射表面仕様にして、見返しリングを介して入射する文字板の部位（請求項３、５に記載の発明）やソーラーセルの背面側に光が回り込む部位（請求項４、５に記載の発明）にアンテナを配設することによって、文字板に入射する光を反射させてソーラーセルに入射させることができる。また、ソーラーセルの背面側に回り込んだ光をソーラーセルの前面側に反射させ、見返しリング内で再び反射・屈折などをさせてソーラーセルに入射させることができる。これにより、見返しリング内に入射した光を無駄なく利用でき、ソーラーセルの発電効率をアップさせる効果を生む。また、反射率の高い金属膜からなるアンテナを使用した場合などは、請求項１０に記載の如く、その金属膜そのものを反射面として使用できるので、大変利便性のある、安いコストでの組立構成が取れる。本発明は、反射能力を持つアンテナをソーラーセルの前面側または背面側に配設することでソーラーセルに多くの光量を入射させ、ソーラーセルの発電効率を向上させる発明である。そして、ソーラーセルに多くの光量を入射させる目的からすると、ソーラーセルの前面側としては見返しリングの下面側に配設するのが最適な場所として選択するものである。また、見返しリングに、請求項１３に記載の如く、その採光表面に金属薄膜を設けることによって、見返しリングの下面側に配設したアンテナは見えなくなると云う効果も生まれる。また、ソーラーセルの背面側としてはソーラーセルと時計ケースとの間が最適な場所として選択するものである。この場所は時計ケースに隠れてアンテナが見えない。
【００３９】
また、本発明の請求項６及び請求項７に記載の発明の下では、アンテナと見返しリング、あるいはアンテナと文字板とが一体となっているので、持ち運びや組立取扱いが容易となり、組立工数の削減などが図れる。
【００４０】
また、本発明の請求項８に記載の如く、アンテナを１個のみならず複数個備えることにより、電波の受信が確実に行える。例えば、１個のアンテナが受信感度の性能低下が発生しても他の受信感度の良いアンテナが確実に電波受信する。
【００４１】
また、本発明の請求項１１に記載の発明の下では、見返しリングが非導電性の材料で形成されているので、アンテナの電波受信には影響せず、支障無くアンテナの機能が働く。また、請求項１２に記載の如く、非導電性材料として樹脂を選択すると、安いコストで見返しリングが得られる。
【００４２】
また、本発明の請求項１３に記載の発明の下では、見返しリングに透過性を有する金属薄膜を設けることにより、見返しリングに金属色の着色が施せる。そして、この着色によってソーラーセル独特の濃紫色が見えないようにすることができる。また、請求項１４に記載の如く、金属薄膜の厚みを１５０Å〜５００Åの範囲にすることにより、ソーラーセルに必要とする透過光量を得ることができ、満足する発電量が確保できる。
【００４３】
また、本発明の請求項１５に記載の発明の下では、時計ケースを金属で形成することにより、金属感を伴って重厚さの感じる携帯時計が得られる。特に、請求項１６に記載の如く、ステンレス鋼やチタン、チタン合金などを用いると装飾性や耐蝕性に優れた外装の携帯時計が得られる。
【発明を実施するための最良の形態】
【００４４】
以下、本発明の最良の実施形態を図１〜図９を用いて説明する。図１は本発明の第１実
施形態に係る携帯時計の要部断面図を示しており、図２は図１における携帯時計のＢ部の拡大断面図、図３は図１におけるアンテナを下面側からみた平面図を示している。また、図４は他のアンテナの構造を示したもので、図４（ａ）は金属膜と絶縁膜を交互に積層した構造のアンテナの要部断面図、図４（ｂ）は磁芯材にコイルを巻回した構造のアンテナの要部断面図を示している。また、図５は本発明の第２実施形態に係る携帯時計のアンテナを複数個配設したときのアンテナの平面図を示している。また、図６は本発明の第３実施形態に係る携帯時計の要部断面図、図７は図６における携帯時計のＣ部の拡大断面図を示したものである。また、図８は本発明の第４実施形態に係る携帯時計の要部断面図、図９は図８における携帯時計のＤ部の拡大断面図を示したものである。
【００４５】
本発明の第１実施形態に係る携帯時計は、図１に示すように、時計ケース５７の内部に、文字板５５とムーブメント５６が弾性力のある中枠５９を介して時計ケース５７に固定されている。また、文字板５５の上面側では、ムーブメント５６より突き出た指針軸に時針、分針などの指針５４が固定されている。また、文字板５５の外周縁に見返しリング５３、この見返しリング５３の外周にリング状に形成されたソーラーセル５２、文字板５５と見返しリング５３との間に挟まれてアンテナ６０が配設されている。そして、これらの部品を封止するようにして表面側に風防ガラス５１が防水パッキン６１を介して時計ケース５７と固定されており、裏面側には裏蓋５８が時計ケース５７と固定された構成を取っている。ここで、風防ガラス５１と防水パッキン６１は、時計ケース５７の内側に向かって形成した突起部５７ａの上面がその落着き面になって、支持されている。また、見返しリング５３の外周に配設したソーラーセル５２は、中枠５９を介して固定することもできるが、本実施形態では、見返しリング５３に接着して固定されており、丁度時計ケース５７の突起部５７ａの下面側に配設されて、真上からは殆ど見えないようになっている。また、文字板５５と見返しリング５３との間に配設したアンテナ６０は、本実施形態では、金属の薄膜からなるアンテナを用い、見返しリング５３と一体にして設けてある。また、図示はしていないが、ソーラーセル５２及びアンテナ６０は導通部材を介してムーブメント５６に設けた回路基板に接続されている。
【００４６】
本実施形態で用いている見返しリング５３、及び、この見返しリング５３と一体的に設けたソーラーセル５２、アンテナ６０については図２を用いて説明する。図２より、見返しリング５３は、上面５３ａと斜面５３ｂが風防ガラス５１側に向いており、この面が風防ガラスを透過した光、あるいは文字板５５から反射した光の採光面になっている。上面５３ａと斜面５３ｂには透過性の金属薄膜６３を設けていて、この透過性の金属薄膜６３はソーラーセル５２の所要の発電量を得るに支障がない透過光が得られるようになっている。そして、この金属薄膜６３でもって見返しリング５３を着色すると共に、ソーラーセル５２の濃紫色や分割線が視認されないようにしている。この見返しリング５３は非導電性材料で形成するが、本実施形態では、樹脂を用いて射出成形方法で形成している。使用する樹脂としては特に限定されるものではないが、アクリル樹脂、ポリカーボネイト樹脂、ポリエチレン樹脂、ポリアセタール樹脂、ポリプロプレン樹脂などを選択することができる。樹脂以外の非導電性材料として光透過性を有するセラミック、ガラスなどが選択できるが、樹脂を用いたものが材料コストや成形コストなどの面で一番安い。この見返しリング５３に用いる材料として非導電性材料を選択することで、アンテナの受信を妨げない効果もある。見返しリング５３の外周側面５３ｄにはソーラーセル５２が接着剤を介して固定されている。このソーラーセル５２は、背景技術で説明したと同じ構成、即ち、フレキシブルプリント基板上にアルミニウム薄膜等からなる金属電極膜である第１の電極、アモルファスシリコン薄膜からなる光電変換層、ＩＴＯなどの透明導電膜である第２の電極、透明な保護膜とを積層した構成を取っており、その全体の厚みは１００〜１５０μｍの厚みをなしている。従って、厚みが薄いために可撓性があり、帯状に形成したものを巻いてリング状に整形して使用している。このソーラーセル５２の内面５２ａが光の採光面になっていて、この採光面に入射した光でもって発電機能が働くようになっている。
例えば、図中に示すように、見返しリング５３に入射するＬ１の光などは直接ソーラーセル５２の採光面に入射する。
【００４７】
ここで、金属薄膜６３は、乾式メッキ法により形成する。乾式メッキ法としては、真空蒸着法、イオンプレーティング法、又はスパッタリング法を用いることが可能である。真空蒸着で金属薄膜６３を形成する場合は、蒸着機のチャンバー内の蒸着時の圧力を１×１０-6〜５×１０-5ｔｏｒｒ（１．３３×１０-4〜６．６５×１０-3Ｐａ）で行うのが好ましい。湿式メッキ等に比較して、非導電体である樹脂に対しての膜付け、特に片面のみへの処理が容易に実施可能であると同時に、膜厚をモニターしながらの成膜によって膜厚の精密な制御と、良好な再現性のある量産が可能となる。
【００４８】
また、金属薄膜６３は、その膜厚は、光透過率などを考慮して適宜設定できるものであるが、膜厚としては１５０Å〜５００Åであるのが好ましい。この範囲の膜厚は、見返しリング５３の側面側にあるソーラーセル５２が透けて見えることがなく、しかもある程度光を透過して、ソーラーセルの所要の発電量に支障がない透過光量が得られるものとなっている。即ち、膜厚が１５０Åより小さければソーラーセルなどが透けてソーラーセル独特の濃紫色が見え、逆に、５００Åより大きければ、光透過率が低く、ムーブメント（時計）を駆動する必要限度の発電が得られなくなる。そして、このような範囲で、金属薄膜の膜厚を変化させることによって、同一金属薄膜であっても種々の金属色を得ることが可能で、光透過率も変化させることができる。例えば、金の場合、膜厚が増加するに従い赤味のある金色から黄金色へと変化する。
【００４９】
なお、この場合、下記の表１および表２に示したように、金属薄膜６３の膜厚と光透過率とは、いずれの金属においても指数関数の関係にて増減する。すなわち、膜厚が薄くなれば透過率が大きくなり、膜厚が厚くなれば透過率が小さくなる。また、同じ膜厚でも透過率は、金属の種類によって特性が異なる。
【００５０】
下記の表１及び表２は、透明なポリカーボネイト樹脂で成形した見返しリング５３の表面、即ち、上面５３ａと斜面５３ｂに砂地模様と放射模様の２種類の模様を形成したものを用意し、それぞれに金の薄膜層と銀の薄膜層を真空蒸着法で厚みを変えて形成し、その透過率を測定して、その透過率によって見返しリングを介してソーラーセルを見たときのソーラーセルの色合いの見えや外観状態を評価した表である。見返しリング５３の金属薄膜を設ける上面と斜面に微小な凹凸を設けた砂地模様や放射模様などを施して装飾すると、その上に設けた金属薄膜に光沢がなくなり、落ち着きを感じさせる外観仕様が得られる。また、この外観仕様は比較的文字板の外観仕様に適合し易く、全体的に落ち着きの感じる、そして高級感を感じさせる外観仕様を得ることができる。
【００５１】
【表１】
2005274247.tif 000003
【００５２】
【表２】
2005274247.tif 000004
【００５３】
なお、表１、表２中の×印、△印、○印、◎印は次の判定基準に基づいている。
×・・・・下のソーラーセルの分割線が透けて見える。使用できない。
△・・・・分割線は見えない。ほとんどの模様で使用できる。
特定の模様ではセルが角度によって透けて見え、使用できない。
○・・・・ソーラーセルは目立たない。あらゆる模様に使用できる。
◎・・・・ソーラーセルは見えない。金属そのものの色調が出せる。
【００５４】
表１及び表２の結果を基に、更にまた、他の金属の場合なども考慮して、金属薄膜６３の厚みは１５０Å〜５００Åが好適な範囲と設定している。
【００５５】
また、金属薄膜６３を構成する金属としては、Ａｕ、Ａｇ、Ａｌ、Ｃｕ、Ｎｉ、Ｐｄ、Ｐｔ、Ｒｈ、Ｓｎ、Ｔｉからなるグループから選択した１種の金属若しくは２種以上の合金金属から構成することが可能である。例えば、二元系合金としては、Ａｕ−Ａｇ、Ａｕ
−Ｃｕ、Ａｕ−Ｎｉ、Ａｇ−Ｐｄ、Ａｕ−Ａｌ、Ｃｕ−Ａｌ、Ｐｄ−Ｎｉなどが使用可能である。このように、金属薄膜６３の厚みを変えたり、二元合金などを使用したりするこ
とによって種々の金属色を出現させることができる。そして、色調のバリエーションを増やすことができる。また、これによってソーラーセル５２の独特の色調を消し去ることができる。また、この金属薄膜６３は、厚みが薄いために電気抵抗の影響を殆ど考慮せずにすみ、アンテナ６０の感度に殆ど影響を与えない。
【００５６】
本実施形態においては、見返しリング５３とソーラーセル５２とは接着剤を介して接着している。接着によって一体化すると、見返しリング５３とソーラーセル５２との間に隙間が出ない。隙間が有るとその隙間で光の減衰が起き、ソーラーセルの発電効率を下げる影響が現れる。従って、見返しリング５３とソーラーセル５２との隙間は小さければ小さいほど発電効率を上げる効果を生む。また、隙間があると、時計の振動でソーラーセル５２が動くことが生じる。ソーラーセル５２が動くとその発電量に変化が生じる。見返しリング５３とソーラーセル５２とを接着固定することによって発電量に変化のない絶えず一定の発電量が得られる。過去の実験結果から、接着することによって約１０％程度発電効率がアップすることが確認されている。しかしながら、必ずしも接着して一体化しなければならないものでもなく、多少発電効率は落ちるものの、ソーラーセル５２と見返しリング５３との間に少しの隙間を設けてソーラーセル５２を配設しても良いものである。この場合は、中枠５９を介してソーラーセル５２を固定する構造を取る。
【００５７】
アンテナ６０は見返しリング５３の下面５３ｃに一体的に設けている。本実施形態のアンテナ６０は、見返しリング５３の下面５３ｃに、真空蒸着などの手法で形成したＡｇの金属膜６０ｅと、その上にメッキ手法で形成したＮｉの金属膜６０ｆと、樹脂塗料で形成した絶縁膜６０ｇとから構成している。この絶縁膜６０ｇは金属で形成した文字板５５との絶縁目的で設けているもので、文字板５５の表面に絶縁膜を設けているものを使用している限りにおいては、アンテナ６０側に設ける必要性はない。また、アンテナ６０は、図３（図３は見返しリングの下面に一体的に設けたアンテナの平面図）に示すように、見返しリング５３の下面に沿ってＣリング状に形成され、一部の箇所において外周側に突出した２つの接続端子部６０ａ、６０ｂを持っている。この接続端子部６０ａ、６０ｂに導通部材が接続されて、背景技術で説明した電波時計受信機、ＣＰＵ、表示駆動部、入力装置などを設けた回路基板と導通が図られるようになっている。
【００５８】
本実施形態のアンテナ６０はＡｇの金属膜６０ｅの上にＮｉの金属膜６０ｆを積層したもので形成してあるが、他に、Ｃｕ、Ａｕ、Ｐｔ、Ａｌなどの金属も用いることができる。これらの金属は電気抵抗が低いためにアンテナの感度を向上させることができる。また、金属膜の形成方法は、スパッタリング法や真空蒸着法、イオンプレーティング法などの乾式メッキ法、電解メッキ法や無電解メッキ法などの湿式メッキ法などを用いて形成する。
【００５９】
このアンテナ６０は上面にＡｇの金属膜６０ｅを有していることから非常に反射率が高い。従って、図中に示すように、見返しリング５３に入射したＬ２の光などはこのアンテナ６０に反射されてソーラーセル５２の採光面に入射する。このことによって、アンテナ６０によって反射した光をソーラーセル５２に取り入れることができるため、ソーラーセル５２の発電効率を高めることができる。アンテナ材として用いることのできるＡｇ、Ｎｉ、Ａｕ、Ｐｔ、Ａｌなどは反射率が高いことなどで有効に反射材として作用する。また、光の反射能力を持ったアンテナ６０は、ソーラーセル５２の採光面に多くの光量を入射させる目的からすると、ソーラーセル５２の前面側にある見返しリング５３の下面側に配設するのが最良の位置として選択することができる。そして更に、見返しリング５３に設けた金属薄膜６３によってアンテナ６０は隠れて見えなくなる。従って、携帯時計５０の上面側からはアンテナ６０は視認することができないので、外観的な装飾に影響を及ぼすことがない。
【００６０】
ここで、反射機能を持つアンテナとしては、上記のように金属膜を積層したものに限るものではなく、既に知られているアンテナの構造として図４に示す構造のものがある。図４は他のアンテナの構造を示したもので、図４（ａ）は金属膜と絶縁膜を交互に積層した構造のアンテナを示しており、図４（ｂ）は磁芯材にコイルを巻回した構造のアンテナを示したものである。図４（ａ）に示すアンテナ６４は、金属膜６４ａ１、６４ａ２、６４ａ３と絶縁膜６４ｂ１、６４ｂ２、６４ｂ３とを交互に挟んで形成したアンテナである。金属膜６４ａ１、６４ａ２、６４ａ３にはＡｇ、Ｎｉ、Ａｕ、Ｐｔ、Ａｌ、Ｃｕなどの金属から選択して用いることができるが、高い反射率のものとなると、Ａｇ、Ｎｉ、Ｐｔ、Ａｌなどが好適に選択できる。また、絶縁膜６４ｂ１、６４ｂ２、６４ｂ３には樹脂塗膜や樹脂シートなどが使用できる。このような構造を取るアンテナ６４は一番上層部に反射率の高い金属膜６４ａ１があることで、光を良く反射する。図４（ｂ）に示すアンテナ６５は、薄い板状に形成した磁芯材６５ｃに導体コイル６５ｂを巻回して、その表面に白色顔料や白色染料を混ぜ合わせた樹脂塗料膜６５ａを設けて形成したアンテナである。樹脂塗料膜６５ａは電波受信の感度には影響を及ぼさず、しかも、白色を呈することから光を良く反射する。磁心材６５ｃを０．３ｍｍ位の薄板に形成し、導体コイル６５ｂの線径を５０μｍ前後のものを使用し、樹脂塗料膜６５ａの厚みを２０〜３０μｍの厚みに形成すれば、アンテナ６５の全体の厚みを０．５ｍｍ前後の厚みに形成することができ、十分、文字板５５の外周縁に配設することができる。また、白色の樹脂塗料膜６５ａが光を反射することから反射材として作用させることができる。図４（ｂ）においては、白色の樹脂塗料膜６５ａを被覆した構成のものを示したが、透明な樹脂で被覆して、その透明な樹脂の上面側のみに５００Å〜１０００Åの厚みの反射率の高い金属膜を設けたものでも、アンテナとして正常に機能する。また、図４（ｂ）に示したアンテナ６５は巻回した導体コイルの上面と下面の両方に白色の樹脂塗料膜６５ａを設けた構成を取っているが、反射面として使用する側にのみ白色の樹脂塗料膜を設けた構成にしても良い。  
【００６１】
文字板５５は、ソーラーセル５２を文字板５５の上面側の外周縁部に配設したことで金属材料を用いることができる。洋白材、真鍮材、リン青銅材などが使用でき、また、表面に各種の模様や塗装、メッキなどの表面処理も施すことができるので、装飾豊かな文字板仕様に形成することができる。勿論、セラミックやプラスチック材なども使用できることは云うまでもない。なお、アンテナ６０が文字板５５の上に配設しているので、金属材の表面が露出した状態で使用するのを避けるのが好ましく、表面に塗装などの絶縁層を設けて使用するのが好ましい。なお、本実施形態においては、アンテナ６０を見返しリング５３と一体構成にしてあるが、アンテナ６０を文字板５５と一体構成にして、見返しリング５３の下面側に配設する構造を取っても同じ効果が得られる。この場合には、文字板５５上に絶縁層を設けて、その絶縁層の上にアンテナ６０を設けるようにする。
【００６２】
風防ガラス５１は、従来用いていた仕様と同じ仕様のもの、即ち、透明なガラス材やアクリル樹脂などで形成したプラスチック材を用いて形成する。
【００６３】
本実施形態の携帯時計では、時計ケース５７や裏蓋５８の素材はステンレス鋼を用いている。ステンレス鋼はチタンやチタン合金などと同様に耐蝕性能などに優れていることから、チタンやチタン合金などと同様に、携帯時計には良く使用される。ステンレス鋼やチタン、チタン合金で形成した時計ケースや裏蓋は電気抵抗率が高いが、その表面に金、銀、銅、黄銅、アルミニウム、亜鉛、マグネシウムなどの金属や、あるいは、これらの合金金属などの電気抵抗率が７．０μΩ・ｃｍ以下である非磁性金属をメッキなどの手法で設けることによってアンテナの受信感度を高められることが各種の実験などから確認されている。なお、時計ケース５７や裏蓋５８の材料として、これ以外に、黄銅、アルミニウム、亜鉛などの金属も良く使われる。これらの金属素材を用いた場合でも、その表面に金、銀、銅、黄銅、アルミニウム、亜鉛、マグネシウムなどの金属や、あるいは、これらの合金金属などの電気抵抗率が７．０μΩ・ｃｍ以下である非磁性金属をメッキなどの手法で設けることによってアンテナの受信感度を高めることができる。
なお、本実施形態では、上記電気抵抗率が７．０μΩ・ｃｍ以下の非磁性金属を設けなくても、時計の受信機能に支障はない。
【００６４】
以上の構成を取る携帯時計５０は、アンテナ６０が非導電性の見返しリング５３の下面側にあって、その上面側には電波を遮るものはない。電波を効率良く受信できる位置にあることから、感度良く電波受信ができ、電波時計としての機能を十分果たすことができる。また、見返しリング５３の採光面に所要の厚みで金属薄膜６３を設けていることからソーラーセル５２の独特の濃紫色や分割線が視認されず、見返しリング５３の金属色調も伴って装飾豊かな携帯時計が得られる。また同時に、ソーラーセル５２の発電に必要とする必要透過光を得る構成になっていると共に、アンテナ６０の反射作用を利用してソーラーセル５２に光を入射させることができるため、多くの光量をソーラーセル５２に取り入れることができる。そして、ソーラーセル５２の発電効率を更に高める効果が現れる。
【００６５】
次に、本発明の第２実施形態に係る携帯時計を図５を用いて説明する。図５は携帯時計にアンテナを複数個配設したときのアンテナの平面図を示している。本発明の第２実施形態に係る携帯時計は図５に示すようにアンテナを４個持っている。配設してある場所は前述の第１実施形態の携帯時計と同じ場所で、見返しリングの下面に見返しリングと一体的に設けてある。なお、見返しリングは前述の第１実施形態の見返しリングと全く同じ仕様のものを用いている。このアンテナは、１／４円弧状のアンテナで、アンテナ６６Ａ、６６Ｂ、６６Ｃ、６６Ｄの４個が見返しリングの下面に一周に渡って設けてある。この４個のアンテナ６６Ａ、６６Ｂ、６６Ｃ、６６Ｄのそれぞれは接続端子部を有しており、アンテナ６６Ａは接続端子部６６Ａ１、６６Ａ２を、アンテナ６６Ｂは接続端子部６６Ｂ１、６６Ｂ２を、アンテナ６６Ｃは接続端子部６６Ｃ１、６６Ｃ２を、アンテナ６６Ｄは接続端子部６６Ｄ１、６６Ｄ２を持っている。そして、これらの接続端子部からは導通部材を介して回路基板に接続されている。また、これらの４つのアンテナ６６Ａ、６６Ｂ、６６Ｃ、６６Ｄは前述の第１実施形態で用いたアンテナと同じ構成の金属膜からなるアンテナを用いているが、前述の図４（ａ）で説明した金属膜と絶縁膜とを交互に積層して形成したアンテナや、図４（ｂ）で説明した磁芯材にコイルを巻回したアンテナなどを用いても良いものである。
【００６６】
これら４つのアンテナ６６Ａ、６６Ｂ、６６Ｃ、６６Ｄは、いずれも表面に反射機能を有しており、見返しリング内に入射した光を反射して、反射した一部の光をソーラーセルに入射させる働きをなす。従って、前述の第１実施形態で得られた効果と同じ効果が得られると同時に、更に、アンテナが４個有ることで、感度が悪くなったアンテナが発生しても他の感度の良いアンテナが電波をとらえるので確実に電波捕捉ができる効果が生まれる。本実施形態においては４個のアンテナを設けたが、特に４個に限定するものではなく、２個であっても良いし、また、３個であっても良いものである。
【００６７】
次に、本発明の第３実施形態に係る携帯時計を図６、図７を用いて説明する。図６は本発明の第３実施形態に係る携帯時計の要部断面図、図７は図６における携帯時計のＣ部の拡大断面図を示したものである。図６、図７より、本実施形態の携帯時計７０は、前述の第１実施形態の携帯時計と大きく異なる所は、アンテナ８０をソーラーセル７２の背面側で、ソーラーセル７２と時計ケース７７との間に配設した構造を取っていることである。なお、風防ガラス７１、指針７４、文字板７５、ムーブメント７６、裏蓋７８、ソーラーセル７２は前述の第１実施形態で用いたものと全く同じ仕様のものを用いているので、ここでの説明は省略する。そして、構成及び構造の異なっている所を主体にして説明することにする。
【００６８】
図７より、見返しリング７３はその上面７３ａと斜面７３ｂに、前述の第１実施形態と同様に、真空蒸着方法で形成した金属薄膜８３を設けている。また、見返しリング７３の外
周側面７３ｄには、前述の第１実施形態と同様に、ソーラーセル７２を接着剤を介して接着固定している。見返しリング７３の下面７３ｃは文字板７５と接している。文字板７５にメッキ処理などが施されていて高い反射機能を有していれば、その文字板の反射能力を利用するとソーラーセル７２の発電効率を高めることができる。
【００６９】
ソーラーセル７２は、前述の第１実施形態に用いたものと同じ仕様のものを使用している。見返しリング７３の外周側面７３ｄと接着された内面７２ａがソーラーセル７２の採光面になっている。
【００７０】
アンテナ８０はソーラーセル７２の背面側と時計ケース７７との間に配設する。本実施形態では、アンテナ８０はソーラーセル７２の背面に接着剤を介してソーラーセル７２に接着してソーラーセル７２と一体にして配設している。本実施形態のアンテナ８０はリング状になっている。薄いフイルム上に導電性が良く、反射率の高い金属、例えば、Ａｇ、Ｎｉ、Ｐｔなど、を乾式メッキ法や湿式メッキ法などで薄膜に形成し、更に、この薄膜の表面に透明なクリヤー塗膜を設けたものから形成している。このようにして形成した薄いアンテナ８０は可撓性を持っており、リング状に整形してソーラーセル７２の裏面側に配設することができる。このアンテナ８０は反射率の高い金属で形成していることから高い反射能力を持っており、図中において、見返しリング７３に入射した光でアンテナ８０に入射した光Ｌ２を見返しリング７３側に反射させる。このアンテナ８０から見返しリング７３側に再度反射された光Ｌ２は、見返しリング７３に設けた金属薄膜８３によって反射されてソーラーセル７２の採光面に入射する。見返しリング７３に設けた金属薄膜８３は、前述の第１実施形態で詳しく述べたように、１５０Å〜５００Åの厚みに形成されていて半透過反射膜になっている。つまり、金属薄膜８３は光の透過機能と光の反射機能の両方の機能を持っており、金属薄膜８３に入射する光の角度によっては光を反射する。従って、アンテナ８０から反射されて見返しリング７３内を透過した光の一部は、金属薄膜８３でもって再び反射されて見返しリング７３内を透過し、ソーラーセル８０の受光面に到達する。このように、ソーラーセル７２の背面に回り込む光がアンテナ８０によって再び反射され、この反射された反射光の一部がソーラーセル７２に入射するから、見返しリング７３内に入射した光は無駄なく有効に利用でき、ソーラーセル７２の発電効率を高める効果を生む。また、見返しリング７３に設けた金属薄膜８３によってソーラーセル７２の濃紫色や分割線は視認されない。
【００７１】
本実施形態の時計ケース７７は、前述の第１実施形態の時計ケースと同様に、ステンレス鋼を用いている。そして、この時計ケース７７の一番厚い胴元の所の厚みｔを５００〜２０００μｍの厚みの範囲で設定している。更にまた、時計ケース７７とアンテナ８０との隙間ｍを５００μｍ以上の範囲で隙間を設けている。アンテナの電波受信感度は、そのアンテナを覆う金属の厚みと、その金属とアンテナとの距離に大きく左右される。各種実験の結果から、ステンレス鋼を用いた場合には、そのステンレス鋼の厚みを５００〜２０００μｍの厚みの範囲に設定し、且つ、アンテナをステンレス鋼から５００〜１００００μｍの距離の範囲に設定すればアンテナの感度を保持できることが確認されている。このことから、時計ケース７７の一番厚い胴元の厚みを２ｍｍ以下に設計し、アンテナ８０と時計ケース７７との隙間を０．５ｍｍ以上確保するようにすれば、アンテナ８０に所要の感度を保持することができる。また、時計ケース７７は、その表面に金、銀、銅、黄銅、アルミニウム、亜鉛、マグネシウムなどの金属や、あるいは、これらの合金金属などの電気抵抗率が７．０μΩ・ｃｍ以下である非磁性金属をメッキなどの手法で設けることによってアンテナの受信感度を高めることができる。なお、時計ケース７７の素材としてステンレス鋼以外のものとして、チタン、チタン合金、黄銅、アルミニウム、亜鉛などの金属も使用することができる。これらの金属素材を用いた場合でも、その表面に金、銀、銅、黄銅、アルミニウム、亜鉛、マグネシウムなどの金属や、あるいは、これらの合金金属などの電気抵抗率が７．０μΩ・ｃｍ以下である非磁性金属をメッキなどの手法で設けるこ
とによってアンテナの受信感度を高めることができる。
【００７２】
更にまた、本実施形態におけるアンテナ８０の内周側はソーラーセル７２を配設しているが、ソーラーセル７２を構成するアモルファスシリコン薄膜からなる光電変換層やアルミニウム薄膜からなる電極薄膜、ＩＴＯからなる透明電極薄膜の積層厚みは数μｍ単位の厚みであるので殆どアンテナ８０の感度には障害を与えない。従って、リング状に形成したアンテナ８０の内周面側には電波障害になるような障害物が無いに等しいような状態にあることから、アンテナ８０は所要の受信感度を保持した状態でその機能を果たすことができる。
【００７３】
本実施形態においては、アンテナ８０はソーラーセル７２と一体にして配設したが、別体にして配設しても同じ効果を得るものである。なお、別体にして配設する場合はプラスチックで形成した中枠７９を介して固定する構造を取る。
【００７４】
また、本実施形態におけるアンテナ８０は１個設けた構成を取っているが、前述の第２実施形態と同様に、ソーラーセル７２の外周に複数個配設する構成を取ることもできる。
【００７５】
また、本実施形態におけるアンテナ８０は１層の金属膜を形成したものを用いているが、前述の図４（ａ）で示した金属膜と絶縁膜を交互に積層して形成したアンテナや図４（ｂ）で示した磁芯材にコイルを巻回した薄いアンテナでも適用できることは云うまでもない。
【００７６】
次に、本発明の第４実施形態に係る携帯時計を図８、図９を用いて説明する。図８は本発明の第４実施形態に係る携帯時計の要部断面図、図９は図８における携帯時計のＤ部の拡大断面図を示したものである。図８、図９より、本実施形態の携帯時計９０はソーラーセル９２の前面側と背面側の両方にアンテナを配設したものである。従って、前述の第１実施形態の構成に前述の第３実施形態の構成を加えた構成の携帯時計になっている。即ち、見返しリング９３の下面に第１のアンテナ１００を設け、ソーラーセル９２の背面に第２のアンテナ１１０を設ける構成を取っている。ここで、風防ガラス９１、指針９４、文字板９５、ムーブメント９６、裏蓋９８などは前述の第１実施形態のものと同じ仕様のものを使用しているので、これらの構成部品の説明は省略する。
【００７７】
本実施形態の見返しリング９３は、前述の第１実施形態及び第３実施形態と同様に、上面９３ａと斜面９３ｂに金属薄膜１０３を設けている。また、下面９３ｃには、第１実施形態と同様に、第１のアンテナ１００を導電率が良く反射率の高い金属膜で形成し、見返しリング９３と一体的に設けている。更に、見返しリング９３の外周側面９３ｄにはソーラーセル９２を接着剤を介して接着固定し、更にそのソーラーセル９２の外周面には第２のアンテナ１１０を接着剤を介して接着固定している。ここでの第１のアンテナ１００は前述の第１実施形態のものと同じ仕様のアンテナを用いており、第２のアンテナ１１０も前述の第３実施形態のものと同じ仕様のアンテナを用いている。
【００７８】
また、時計ケース９７は、前述の第３実施形態のものと同じ素材、即ち、ステンレス鋼で形成しており、その表面に金、銀、銅、黄銅、アルミニウム、亜鉛、マグネシウムなどの金属や、あるいは、これらの合金金属などの電気抵抗率が７．０μΩ・ｃｍ以下である非磁性金属をメッキなどの手法で設けてもよい。そして更に、時計ケース９７の一番厚い胴元の所の厚みｔを５００〜２０００μｍの厚みの範囲に設計し、時計ケース９７と第２のアンテナ１１０との隙間ｍを５００μｍ以上の範囲で隙間を設けている。
【００７９】
以上の構成を取る携帯時計９０はアンテナを２個所有することになり、感度高く電波受信することができる。また、見返しリング９３に設けた金属薄膜１０３によってソーラー
セル９２の濃紫色は視認されない。また、図９に示すようにソーラーセル９２の採光面となる内面９２ａには、見返しリング９３から直接入射する光Ｌ１、第２のアンテナ１１０から反射され、更に、見返しリング９３の金属薄膜１０３から反射されて入射する光Ｌ２、第１のアンテナ１００から反射されて入射する光Ｌ３など、多くの光量を採光することができる。これにより、ソーラーセル９２の発電効率を高める効果が得られる。また、時計ケース９７は金属を用いていることから重厚さを感じ、金属感を伴った高級感を感じさせる携帯時計が得られる。
【００８０】
以上、本発明について４つの実施形態を詳述したが、これらの実施形態においては、見返しリングの上面と斜面に全て金属薄膜を設けたもので説明した。しかしながら、金属薄膜に代えて着色顔料や光拡散剤を見返しリングの中に混ぜ合わせることによって見返しリングを着色し、光を散乱させ、ソーラーセルの濃紫色を消し去ることも可能である。そして、この光拡散剤でアンテナからの反射光を拡散して、ソーラーセルに入射させることができるのでソーラーセルの発電効率を向上させる働きもなす。また、見返しリングに金属薄膜を設けると共に光拡散剤を混ぜ合わせることも可能で、ソーラーセルの濃紫色を消し去る効果やソーラーセルへの入射光量を増やす効果は更に向上させることができる。
【００８１】
また、本発明の４つの実施形態においては、時計ケースは全て金属素材で形成したもので説明したが、非導電性の合成樹脂で形成した時計ケースは全く問題なく使用できることは云うまでもない。また、ソーラーセルの発電効率を考慮できれば、アンテナの位置は見返しリングの下面ではなく、ソーラーセルと見返しリングの間で、ソーラーセルと対向する前面に配設しても問題はない。
【図面の簡単な説明】
【００８２】
【図１】本発明の第１実施形態に係る携帯時計の要部断面図である。
【図２】図１における携帯時計のＢ部の拡大断面図である。
【図３】図１におけるアンテナを下面側からみた平面図である。
【図４】他のアンテナの構造を示したもので、図４（ａ）は金属膜と絶縁膜を交互に積層した構造のアンテナの要部断面図、図４（ｂ）は磁芯材にコイルを巻回した構造のアンテナの要部断面図である。
【図５】本発明の第２実施形態に係る携帯時計のアンテナを複数個配設したときのアンテナの平面図である。
【図６】本発明の第３実施形態に係る携帯時計の要部断面図である。
【図７】図６における携帯時計のＣ部の拡大断面図である。
【図８】本発明の第４実施形態に係る携帯時計の要部断面図である。
【図９】図８における携帯時計のＤ部の拡大断面図である。
【図１０】電波時計の機能の概略を示すブロック図である。
【図１１】従来のケースの一部に金属を用いた電波腕時計の構造の一例を示す断面図である。
【図１２】特許文献２に示されたソーラーセル付時計の要部断面図である。
【図１３】図１２におけるＡ部の拡大断面図である。
【符号の説明】
【００８３】
５０、７０、９０    携帯時計
５１、７１、９１    風防ガラス
５２、７２、９２    ソーラーセル
５２ａ、７２ａ、９２ａ    内面
５３、７３、９３    見返しリング
５３ａ、７３ａ、９３ａ    上面
５３ｂ、７３ｂ、９３ｂ 斜面
５３ｃ、７３ｃ、９３ｃ 下面
５３ｄ、７３ｄ、９３ｄ 外周側面
５４、７４、９４    指針
５５、７５、９５    文字板
５６、７６、９６    ムーブメント
５７、７７、９７    時計ケース
５８、７８、９８    裏蓋
５９、７９、９９    中枠
６０、６４、６５、８０    アンテナ
６３、８３、１０３    金属薄膜
１００    第１のアンテナ
１１０    第２のアンテナ
【図１】
2005274247.tif 000005
【図２】
2005274247.tif 000006
【図３】
2005274247.tif 000007
【図４】
2005274247.tif 000008
【図５】
2005274247.tif 000009
【図６】
2005274247.tif 000010
【図７】
2005274247.tif 000011
【図８】
2005274247.tif 000012
【図９】
2005274247.tif 000013
【図１０】
2005274247.tif 000014
【図１１】
2005274247.tif 000015
【図１２】
2005274247.tif 000016
【図１３】
2005274247.tif 000017